(57)【要約】【課題】設置の場所を取らず、簡易的に設置可能で、効率的に汚水の浄化を行い得る汚水浄化装置を提供する。【解決手段】上部に設けられた流入部から流入した汚水が、流路内にて浄化されて下部に設けられた排出部から排出される汚水浄化装置１であり、流路は、水平面に対し流水方向に向けて上方へ傾斜し、これにより該流路内に汚水滞留空間が形成される上昇流路と、水平面に対し流水方向に向けて下方へ傾斜した下降流路とを備える。汚水滞留空間には、汚水を浄化する浄化物質５０が設置されている。汚水滞留空間に汚水を滞留させつつ、浄化物質５０による浄化作用で汚水を浄化して排出する。【選択図】図２
2012045445.tif 000002
【特許請求の範囲】
【請求項１】
上部に設けられた流入部から流入した汚水が、流路内にて浄化されて下部に設けられた排出部から排出される汚水浄化装置において、
前記流路は、水平面に対し流水方向に向けて上方へ傾斜し、これにより該流路内に汚水滞留空間が形成される上昇流路と、水平面に対し流水方向に向けて下方へ傾斜した下降流路とを備え、
前記汚水滞留空間に汚水を浄化する浄化物質が設置され、
前記汚水滞留空間に汚水を滞留させつつ、前記浄化物質による浄化作用で汚水を浄化する、
ことを特徴とする汚水浄化装置。
【請求項２】
前記汚水滞留空間に汚水が最大限満たされた際に、汚水面上方の空間が外気に連通する開放空間とされていることを特徴とする請求項１に記載の汚水浄化装置。
【請求項３】
前記上昇流路が管状体の上昇管にて形成され、前記下降流路が管状体の下降管にて形成され、前記上昇管と前記下降管とが屈曲部を有する屈曲管を介して連結されている、
ことを特徴とする請求項１又は２に記載の汚水浄化装置。
【請求項４】
前記上昇管、前記下降管、及び、前記屈曲管がそれぞれ脱着自在である、
ことを特徴とする請求項３に記載の汚水浄化装置。
【請求項５】
前記下降管と前記上昇管とが前記屈曲管にてつづら折り状に連結されている、
ことを特徴とする請求項３又は４に記載の汚水浄化装置。
【請求項６】
鉛直方向に伸びる同一平面上に前記下降管と前記上昇管とがつづら折り状に連結されている、
ことを特徴とする請求項５に記載の汚水浄化装置。
【請求項７】
前記下降流路の内部に堰板が設けられ、前記下降流路内にも汚水滞留空間が形成されている、
ことを特徴とする請求項１乃至６のいずれか一項に記載の汚水浄化装置。
【請求項８】
前記汚水滞留空間にエアを供給する曝気装置を備える、
ことを特徴とする請求項１乃至７のいずれか一項に記載の汚水浄化装置。
【請求項９】
前記浄化物質が汚水に含まれる成分を分解可能な微生物である、
ことを特徴とする請求項１乃至８のいずれか一項に記載の汚水浄化装置。
【請求項１０】
前記微生物が光合成細菌及び／又は脱臭光合成細菌である、
ことを特徴とする請求項９に記載の汚水浄化装置。
【請求項１１】
前記微生物がアルギン酸及び／又は寒天にて担体に固定された微生物固定化フィルターが前記汚水滞留空間に配置されている、
ことを特徴とする請求項９又は１０に記載の汚水浄化装置。
【請求項１２】
前記微生物固定化フィルターがカートリッジに設置され、前記カートリッジが前記上昇流路の内部に挿入されている、
ことを特徴とする請求項１１に記載の汚水浄化装置。
【発明の詳細な説明】
【技術分野】
【０００１】
本発明は、汚水浄化装置、特に、光合成細菌を利用した汚水浄化装置に関する。
【背景技術】
【０００２】
近年、阪神淡路大震災や新潟県中越地震等、大震災時に下水道施設が壊滅され、処理施設の運転停止などが生じる事態に陥り、汚水が公共用水域へ直接垂れ流しになる事態があった。また、一般家庭において、上下水道が使用不能となることにより、トイレが使用できない等の問題も報告されている。更には、下水による土壌汚染や地下水汚染等も報告されている。
【０００３】
また、田園地帯に広がる家屋や離島の汚水に対して、浄化処理設備はほとんど設けられておらず、そのまま垂れ流しとなっている。さらに、大都市域などでは「合流式下水道」という方式が多く見られるが、雨の日には洗濯排水を含む排水が汚れたまま河川等へ流れ出てしまっている。
【０００４】
このような、地震災害による下水の垂れ流しや、生活排水の垂れ流しによる水質汚染は非常に大きな問題となっていることから、環境の改善が必要とされる。
【０００５】
水質や土壌汚染の改善について、微生物を用いた手法が知られている（例えば、特許文献１）。
【先行技術文献】
【特許文献】
【０００６】
【特許文献１】特開平６−２３８２５８号公報
【発明の概要】
【発明が解決しようとする課題】
【０００７】
特許文献１では、汚染土壌中に光合成細菌を混合し、かつ光ファイバーによって土壌中に光を導入し、汚染物質を分解する方法が開示されている。この手法は光源を必要とすることから、簡易的に用い得るものではない。
【０００８】
本発明は、上記事項に鑑みてなされたものであり、その目的とするところは、設置の場所を取らず、簡易的に設置可能で、効率的に汚水の浄化を行い得る汚水浄化装置を提供することにある。
【課題を解決するための手段】
【０００９】
本発明に係る汚水浄化装置は、
上部に設けられた流入部から流入した汚水が、流路内にて浄化されて下部に設けられた排出部から排出される汚水浄化装置において、
前記流路は、水平面に対し流水方向に向けて上方へ傾斜し、これにより該流路内に汚水滞留空間が形成される上昇流路と、水平面に対し流水方向に向けて下方へ傾斜した下降流路とを備え、
前記汚水滞留空間に汚水を浄化する浄化物質が設置され、
前記汚水滞留空間に汚水を滞留させつつ、前記浄化物質による浄化作用で汚水を浄化する、
ことを特徴とする。
【００１０】
また、前記汚水滞留空間に汚水が最大限満たされた際に、汚水面上方の空間が外気に連通する開放空間とされていることが望ましい。
【００１１】
また、前記上昇流路が管状体の上昇管にて形成され、前記下降流路が管状体の下降管にて形成され、前記上昇管と前記下降管とが屈曲部を有する屈曲管を介して連結されていてもよい。
【００１２】
また、前記上昇管、前記下降管、及び、前記屈曲管がそれぞれ脱着自在であってもよい。
【００１３】
また、前記下降管と前記上昇管とが前記屈曲管にてつづら折り状に連結されていてもよい。
【００１４】
また、鉛直方向に伸びる同一平面上に前記下降管と前記上昇管とがつづら折り状に連結されていてもよい。
【００１５】
また、前記下降流路の内部に堰板が設けられ、前記下降流路内にも汚水滞留空間が形成されていてもよい。
【００１６】
また、前記汚水滞留空間にエアを供給する曝気装置を備えていてもよい。
【００１７】
また、前記浄化物質が汚水に含まれる成分を分解可能な微生物であってもよい。
【００１８】
また、前記微生物が光合成細菌及び／又は脱臭光合成細菌であってもよい。
【００１９】
また、前記微生物がアルギン酸及び／又は寒天にて担体に固定された微生物固定化フィルターが前記汚水滞留空間に配置されていてもよい。
【００２０】
また、前記微生物固定化フィルターがカートリッジに設置され、前記カートリッジが前記上昇流路の内部に挿入されていてもよい。
【発明の効果】
【００２１】
本発明に係る汚水浄化装置は、上昇管と下降管とが交互に連結した簡易な構成であり、設置場所の自由度が高い。そして、汚水浄化装置では、汚水を上流から下流へ流す際に汚水を滞留させる汚水滞留空間を有しており、この空間には汚水を浄化可能な浄化物質が配置されているので、この空間に汚水を滞留させつつ、浄化物質で汚水を浄化することができる。これにより従来の浄化槽に代わる、設置容易で、省スペース型の汚水浄化装置が実現できる。また既設の浄化槽に追加して汚水浄化装置を設置すれば、浄化能力をさらに向上させることができる。
【図面の簡単な説明】
【００２２】
【図１】汚水浄化装置の外観図である。
【図２】汚水浄化装置の断面図である。
【図３】汚水浄化装置の部分断面図である。
【図４】他の実施の形態に係る汚水浄化装置の断面図である。
【図５】他の実施の形態に係る汚水浄化装置の断面図である。
【図６】浄化物質が設置されたカートリッジの斜視図である。
【図７】浄化物質が設置されたカートリッジの斜視図である。
【図８】他の形態に係る汚水浄化装置の分解斜視図である。
【図９】排出液中のＣＯＤの経時変化を示すグラフである。
【図１０】排出液中のリン酸イオンの経時変化を示すグラフである。
【図１１】排出液中の硝酸性窒素の経時変化を示すグラフである。
【発明を実施するための形態】
【００２３】
本実施の形態に係る汚水浄化装置１は、図１の外観図及び図２の断面図に示すように、汚水が流入する流入管１１、浄化された汚水が排出される排出管１２、これら流入管１１及び排出管１２の間に連接された上昇管２０ａ〜２０ｃ、下降管３０ａ、３０ｂ、屈曲管４０ａ〜４０ｆ、及び上昇管２０ａ〜２０ｃの内面底部に敷設された浄化物質５０から構成される。上昇管２０ａ〜２０ｃにて上昇流路が、下降管３０ａ、３０ｂにて下降流路が形成される。
【００２４】
流入管１１、排出管１２、上昇管２０ａ〜２０ｃ、下降管３０ａ、３０ｂ、屈曲管４０ａ〜４０ｆは、それぞれ内部中空で、断面環状の筒体である。
【００２５】
流入管１１は上部が開口しており、下部は屈曲管４０ａを介して上昇管２０ａの下端に連結している。
【００２６】
そして、上流から下流に向けて順に上昇管２０ａ、下降管３０ａ、上昇管２０ｂ、下降管３０ｂ、上昇管２０ｃの順に交互に配置されている。上昇管２０ａと下降管３０ａとは略Ｕ字状の屈曲管４０ｂを介して、下降管３０ａと上昇管２０ｂとは屈曲管４０ｃを介して、上昇管２０ｂと下降管３０ｂとは屈曲管４０ｄを介して、また、下降管３０ｂと上昇管２０ｃとは屈曲管４０ｅを介してそれぞれ連結している。
【００２７】
最も下方に位置する上昇管２０ｃは屈曲管４０ｆと連結し、屈曲管４０ｆの他端は排出管１２と連結している。屈曲管４０ａ及び屈曲管４０ｄは略Ｌ字状、屈曲管４０ｂ〜４０ｅは略Ｕ字状の連結管である。排出管１２の他端は下方が開口しており、下水又は浄化槽等へつながっている。
【００２８】
このように、汚水浄化装置１はつづら折り状に形成された一本の流路を有しており、流入管１１から流入した汚水は、上昇管２０ａ〜２０ｃ内を上昇し、下降管３０ａ、３０ｂ内を流下し、屈曲管４０ａ〜４０ｆで形成された流路を蛇行しながら流れ、排出管１２から排出される。
【００２９】
そして、上昇管２０ａ〜２０ｃは、上流から下流に向けて水平面から上方へ傾斜して配置されている。また、下降管３０ａ、３０ｂは、上流から下流に向け、水平面から下方へ傾斜して配置されている。
【００３０】
上昇管２０ａ〜２０ｃは、上流から下流に向けて水平面から上方へ傾斜しているため、上昇管２０ａ〜２０ｃそれぞれの内部には、流れてきた汚水を滞留させる汚水滞留空間（図２に斜線で示す断面略３角形部分）が形成されている。そして、上昇管２０ａ〜２０ｃ内部に形成されるこの空間には、汚水を浄化する浄化物質５０がそれぞれ敷設されている。このため、流入した汚水はこの空間に滞留しつつ、浄化物質５０によって浄化される。この浄化物質５０は、少なくとも滞留汚水が接する管内面に敷設される。
【００３１】
上昇管２０ａ〜２０ｃの傾斜角度は、汚水が滞留する空間に汚水が最大限満たされた場合、汚水の水面が上部の内壁（天井部分）に接しない程度に設定されることが好ましい。言い換えると、図３の断面図に示すように、上昇管２０ａ〜２０ｃの上流側の屈曲部の内壁上端に接する水平面Ｓ１が、上昇管２０ａ〜２０ｃの下流側の屈曲部の内壁下端（管底部）に接する水平面Ｓ２よりも高く、両者間に所定の距離Ｄほど離間していることが好ましい。これにより、汚水浄化装置１内に空気の通り道が確保されて管内の空気の排気が可能となり、同時に汚水の流れもスムーズになる。上昇管２０ａ〜２０ｃの傾斜角度は、用いる上昇管２０ａ〜２０ｃの長さや直径に応じ、汚水の水面が上部の内壁に接しない程度に適宜設定される。
【００３２】
一例としてあげれば、内径１０７ｍｍ、長さ１０００ｍｍの塩化ビニル製パイプ５本（上昇管３本、下降管２本）を、各管の水平面に対する傾斜角を７度として連結して装置を構成した場合、間隔Ｄは２５ｍｍとなり、上昇管２０の汚水滞留容積（図２に斜線にて示す略３角形部分）は最大４．３リットルとなる。３本の上昇管２０ａ〜２０ｃでは合計１２．９リットルの汚水が滞留可能となる。一般家庭の汚水処理に際しては、この約２倍の処理量が必要となるため、パイプの内径を大きくするかまたはパイプ数を増やす必要がある。
【００３３】
浄化物質５０として、汚水を浄化可能な微生物を用いることができる。微生物として、光合成細菌及び脱臭光合成細菌が挙げられる。これらの細菌として、脱窒能、ＣＯＤ除去能を有するＲｈｏｄｏｂａｃｔｅｒ  ｓｐｈａｅｒｏｉｄｅｓ  Ｓ、油分解能、耐熱性を有するＲｈｏｄｏｂａｃｔｅｒ  ｓｐｈａｅｒｏｉｄｅｓ  ＮＡＴ、脱窒能を有するＲｈｏｄｏｂａｃｔｅｒ  ｓｐｈａｅｒｏｉｄｅｓ  ＩＬ１０６、リン蓄積能を有するＲｈｏｄｏｂａｃｔｅｒ  ｓｐｈａｅｒｏｉｄｅｓ  ＮＲ−３、脱臭能を有するＲｈｏｄｏｐｓｅｕｄｏｍｏｎａｓ  ｐａｌｓｔｒｉｓ、デンプン分解能、タンパク分解能を有するＲｈｏｄｃｙｃｌｕｓ  ｇｅｌａｔｉｎｏｓｕｓ等が挙げられる。これらは複数組み合わせて用いられるのが効果的であるが、単一で用いることも可能である。浄化しようとする汚水に含有している成分を考慮して、適宜選択して用いられる。
【００３４】
上述した光合成細菌は、光の当たらない暗条件下でもその機能を発揮する。このため、本実施の形態に係る汚水浄化装置１は必ずしも光を透過可能な素材から構成される必要はなく、また、汚水浄化装置１内部に光を照射させる装置を設ける必要もない。
【００３５】
更には、上記の光合成細菌により汚水を処理すれば、脱臭能も発揮されて悪臭の発生も抑えられるととともに、汚泥発生も極めて少なく、汚泥処理も抑えられる。
【００３６】
浄化物質５０として、上述した微生物が多孔質状の担体に固定化された微生物固定フィルターが用いられていてもよい。担体への微生物の固定化は、アルギン酸や寒天を用い行うことができる。担体として、スポンジや観賞魚用のろ過フィルター（化学繊維を絡み合わせた構造）等が挙げられ、微生物を混合したゲル状のアルギン酸又は寒天がこれに固定され、厚さ１０ｍｍ程度の柔らかいシート状に形成される。アルギン酸又は寒天は汚水に接触して溶け微生物を汚水中に放出する。
【００３７】
また、浄化物質５０として、観賞魚用ろ過フィルター等がそのまま用いられていてもよい。
【００３８】
微生物固定フィルター或いはろ過フィルターを上昇管２０ａ〜２０ｃに設置する場合、アロンアルファ（登録商標）等、耐水性接着材を用いて固定するとよい。微生物固定フィルターは常時汚水に浸漬した状態となるが、その場合でも上昇管２０ａ〜２０ｃから剥離し難く好適である。
【００３９】
上記微生物の活性化を図るため、図４に示すように、汚水が滞留する箇所にエアレーションパイプ６０が設置されていることが望ましい。不図示のエアーポンプ等からエアレーションパイプ６０を介して汚水の滞留箇所を曝気することにより、好気条件下とすることができる。好気条件下とすることで、微生物の活動が活性化され、汚水の浄化能力が高まる。曝気を効率よく行うためにパイプ６０の先端は各上昇管２０ａ〜２０ｃの汚水滞留部の最深部分に位置させるのが望ましい。またエアレーションは連続して行うことができる。
【００４０】
また、図５に示すように、下降管３０ａ、３０ｂに汚水が滞留するよう複数（図示の例は３枚）の堰板７０が垂直方向に設けられていてもよい。この堰板７０は略半円形形状を有し、下降管３０ａ、３０ｂの下降面に適当な間隔を隔てて固定され、新たな汚水の滞留領域が形成される。３枚の堰板７０は下降管３０ａ、３０ｂが傾斜していることから、その上端が下流に行くほど低い位置にあり、それゆえ上流側の滞留領域のあふれた汚水が、次段の滞留領域へ流れ込む構成とされている。これら滞留領域底部にはそれぞれ浄化物質５０が設置され、汚水が浄化される。堰板７０を設けることで、汚水の滞留量が増加し、汚水浄化効率が向上する。
【００４１】
また、流入管１１、排出管１２、上昇管２０ａ〜２０ｃ、下降管３０ａ、３０ｂ、屈曲管４０ａ〜４０ｆは、それぞれ着脱自在な構成であることが好ましい。この場合、汚水浄化装置１に流れる汚水が連結箇所から漏れないよう、それぞれ連結する管同士が嵌合し、連結箇所に防水テープ等が巻かれていたり、或いは、パッキンが用いられている構造であることが好ましい。また、それぞれの連結部に係止金具等が設けられ、汚水浄化装置１の分解・組み立てが容易に行える構成であってもよい。
【００４２】
汚水浄化装置１を上記のように分解可能とすることにより、浄化物質５０の交換を容易に行うことができる。浄化物質５０は汚水に溶け出し微生物を及び水中に放出することから、時間経過とともにその量は徐々に減っていく。それゆえ浄化物質５０を定期的（半年ないし１年程度）に交換することで、汚水浄化装置１の浄化能力を保つことができる。
【００４３】
また、図６に示すように、浄化物質５０の交換作業がより容易に行えるよう、浄化物質５０を固定したカートリッジ８０を用いてもよい。上昇管２０ａ〜２０ｃの内部から使用済みのカートリッジ８０を引き抜き、代わりのカートリッジ８０を上昇管２０ａ〜２０ｃの内部に挿入するだけで、容易に浄化物質５０を交換することができる。また、図７に示すように、堰板７０及び浄化物質５０が設置されたカートリッジ８０を用いることもできる。
【００４４】
また、上記例のように、上昇管２０ａ〜２０ｃ等として、塩化ビニル製など、樹脂製パイプを用いて汚水浄化装置１を製造すれば軽量で持ち運びも容易である。しかし、上昇管２０ａ〜２０ｃ等の材料はこれに限定されず、金属等他の材料よりなる管を使用することもできる。
【００４５】
また、上述のように、流入管１１、排出管１２、上昇管２０ａ〜２０ｃ、下降管３０ａ、３０ｂ、屈曲管４０ａ〜４０ｆがそれぞれ着脱自在であれば、分解状態でコンパクトに纏めて持ち運ぶこともでき、設置場所で汚水浄化装置１を組み立てて用いることもできる。したがって、汚水の浄化が必要な場所での、簡易的な汚水処理が可能である。例えば、地震等の災害時に架設避難場所では、生活排水やし尿等の浄化が要求されるが、その様な場所でも汚水浄化装置１を簡単に設置することができる。
【００４６】
更に、流入管１１、排出管１２、上昇管２０ａ〜２０ｃ、下降管３０ａ、３０ｂ、屈曲管４０ａ〜４０ｆとして、それぞれ市販の塩化ビニル製等のパイプをそのまま用いることにより、汚水浄化装置１は低コストで製造可能である。
【００４７】
また、鉛直方向に延びる同一平面上に、流入管１１、排出管１２、上昇管２０ａ〜２０ｃ、下降管３０ａ、３０ｂ、屈曲管４０ａ〜４０ｆがつづら折り状になるように汚水浄化装置１が構成されていることが好ましい。これにより、汚水浄化装置１を建物の壁に沿わせて設置する等、設置場所の制限が少なく、狭い設置スペース等、様々な場所へ設置することができる。
【００４８】
上記の実施形態では、鉛直方向一平面内につづら折り形状とした汚水浄化装置１について説明したが、上昇管と下降管が交互に連結していればよく、これに限定されることはない。例えば、上昇管と下降管が交互に連結して平面略四角とし、これを複数段形成した四角柱形状であってもよく、また、六角注形状等、多角形かつ立体的な構造とした汚水浄化装置であってもよい。或いは、複数の半円弧状の上昇管及び下降管とが交互に連結した円柱形状の汚水浄化装置であってもよい。
【００４９】
また、上昇管と下降管の数に制限はなく、上述した５段構造のほか、３段構造、７段構造、９段構造等、適宜選択可能であり、汚水処理量、設置スペース等を考慮して設計される。上昇管及び下降管の長さ、内径、傾斜角度の選択も同様である。
【００５０】
また、上記の実施形態では、流入管１１、排出管１２、上昇管２０ａ〜２０ｃ、下降管３０ａ、３０ｂ、屈曲管４０ａ〜４０ｆが円管形状である場合について説明したが、多角形の管形状であってもよい。
【００５１】
また、上記実施形態においては、上昇流路及び下降流路にパイプ等の管状体を利用した場合について説明したが、上昇流路及び下降流路が形成されるならば、これに限定されることはない。
【００５２】
例えば図８に示すように、直方体形状の汚水浄化装置９０であってもよい。直方体形状の本体９１の内部を仕切板９３ａ〜９３ｃ、９４ａ〜９４ｃにて区分することで流路を形成することもできる。即ち、仕切板９３ａ〜９３ｃは水平方向Ｘに対し流路方向に向けて上方に傾斜している。他方、仕切板９４ａ〜９４ｃは水平方向Ｘに対し流路方向に向けて上方に傾斜している。仕切板９３ａ〜９３ｃにて上昇流路が形成され、仕切板９４ａ〜９４ｃにて下降流路が形成される。上昇流路には、仕切板９３ａ〜９３ｃとその先端が位置する水平面との間に汚水滞留空間が形成される。仕切板９３ｂ、９３ｃの最上端は仕切板９４ａ、９４ｂの最下端より高い位置に設定されており、それゆえ仕切板９３ｂ、９３ｃにて形成される汚水滞留空間の上部は、開放空間とされ外気に対し連通状態にある。
【００５３】
９５は汚水流入管、９６は排出管である。５０は仕切板９３ａ〜９３ｃ上に敷設された前述同様の浄化物質である。前記実施形態と同様、下降流路を形成する仕切板９４ａ〜９４ｃの途中に垂直方向Ｙに略一致する方向に延びる堰板を適当な間隔で複数設け、ここに別の汚水滞留空間を形成することもできる。６０は滞留した汚水に空気を吹き込むエアレーションパイプ、９２は汚水浄化装置９０の前面を閉鎖する蓋体で、パッキン（図示せず）等を介してシールされた状態で本体９１に固定される。この蓋９２は、保守点検の作業を容易にするために、本体９１に対し、取り外し可能に取り付けられるのが望ましい。またこの蓋体９２は透明樹脂等により構成し、内部に外光が入射する構造とすれば、流路内で植物を栽培することも可能となる。
【実施例】
【００５４】
汚水浄化装置を作成し、これに下水を流して浄化を行った。
【００５５】
汚水の浄化作用を有する微生物として、紅色非硫黄細菌Ｒｈｏｄｏｂａｃｔｅｒ属に分類されるＲｈｏｄｏｂａｃｔｅｒｓｐｈａｅｒｏｉｄｅｓ  Ｓ（以下、Ｓ株と記す）を用いた。
【００５６】
Ｓ株は、市販されている養魚用の水質浄化フィルターに固定化して用いた。Ｓ株の固定化には、アルギン酸ナトリウムを使用した。固定化の手順として、遠心分離機によって濃縮回収したＳ株を吸光光度計によりＯＤ６６０＝４０の濃度に調整した。調整後、濃度４％のアルギン酸ナトリウム溶液を等量混合した。その後、混合したものを水質浄化フィルターへ染み込ませ、塩化カルシウム溶液（６．６２ｇ／Ｌ）に６時間以上浸し、ＮａとＣａの交換により固定化を行った。
【００５７】
図４に示す汚水浄化装置１を組み立てた。上昇管２０ａ〜２０ｃ、下降管３０ａ、３０ｂ等の管体として市販の塩化ビニル製のパイプを用いて組み立てた。そして、それぞれの上昇管２０ａ〜２０ｃの底部内壁に固定化菌体フィルターを設置した。
【００５８】
上記の水質装置１を用い、流入部から人工下水を流し、人工下水の浄化を試みた。人工下水は流量調整ポンプを用い、１１ｍＬ／ｍｉｎの速度で、常時流し続けた。人工下水は、グルコースとペプトンを主成分とするものを用いた。人工下水の組成を表１に示す。
【表１】
2012045445.tif 000003
【００５９】
実験は室温を３０℃に維持して行い、１日に４回、４時間ごとに装置１の排出部から取水し、ＣＯＤ・硝酸性窒素・燐酸の各含有量を分析した。（以下、固定化菌体フィルターと記す）
【００６０】
また、Ｓ株を固定せずに浄化フィルターをそのまま設置した装置について（以下、フィルターと記す）、及び、Ｓ株及び浄化フィルターいずれも用いない装置について（以下、塩ビ管のみと記す）も、それぞれ上記同様に人工下水を流し、ＣＯＤ・燐酸イオン・硝酸性窒素の各含有量を分析した。
【００６１】
（ＣＯＤ分析）
ＣＯＤの分析は以下のようにして行った。ブランクとして純水を１００ｍＬ三角フラスコに入れたものを二本用いた。また検水を１ｍＬ三角フラスコに入れたものに純水を９９ｍＬ入れて１００倍希釈した。これらに硫酸（１２Ｎ，１＋２）を１０ｍＬずつ加え攪拌した。次に全てに過マンガン酸カリウム（１／４０Ｎ  ＫＭｎＯ４）を加え攪拌し着色させた。その後、１００℃の水に３０分間湯浴させた。最後にシュウ酸ナトリウム溶液を１０ｍＬ加え攪拌し脱色させた。溶液が６０℃を下回らない間に検水に入れたのと同じ過マンガン酸カリウム（１／４０Ｎ  ＫＭｎＯ４）をビュレットに入れ、終点を薄い赤紫色に変色したところとして中和滴定を行い、ＣＯＤの含有量値を求めた。
【００６２】
ＣＯＤ含有値の経時変化を図９及び表２に示す。
【表２】
2012045445.tif 000004
【００６３】
塩ビ管のみでは全くＣＯＤが低下していない。一方、フィルターのみの場合では７２時間辺りから、ゆっくりとした数値の低下が確認された。その後、１０８時間辺りに急激な低下をした後、数値の安定が確認された。このフィルターでもＣＯＤが低下する原因は、フィルター内に細菌が繁殖したためだと考えられる。
【００６４】
また、固定化菌体フィルターでは、フィルターのみの場合より２日早い段階で急激な数値の低下が確認された。その後も、フィルターのみのものより低い値を保った。
【００６５】
（燐酸イオン（ＰＯ３−）分析）
標準液（ＫＨ２ＰＯ４（燐酸二水素カリウム）７．１６５ｇ／Ｌの燐酸標準原液を１０００倍希釈したものを標準液とする）を、０，１，２，５，１０ｍＬと検水を１ｍＬずつ各比色管に入れた。その後、４０ｍＬまでメスアップを行った溶液に、２．５Ｍ硫酸：酒石酸アンチモニルカリウム溶液（２．７４３ｇ／Ｌ）：モリブデン酸アンモニウム溶液（４０ｇ／Ｌ）：アスコルビン酸溶液（１．７６ｇ／１００ｍＬ）＝１０：１：３：６の比で混合した試薬を各検水に８ｍＬずつ加えた。その後、純水で５０ｍＬまでメスアップを行い、全ての溶液を攪拌した後、１０〜３０分以内にＯＤ８８０で各検水について吸光光度計を用いて吸光度を測定し、燐酸イオンの含有量値を求めた。
【００６６】
リン酸イオンの含有量値の経時変化を図１０及び表３に示す。
【表３】
2012045445.tif 000005
【００６７】
リン酸イオンの含有量値についても、固定化菌体フィルター、フィルター、塩ビ管のみともに、それぞれ上述したＣＯＤの分析結果とほとんど同じ様な経時変化が見られる。フィルターのみの場合では、数回に分けて数値の減少が確認され、その後はほぼ一定の数値を保った。固定化菌体フィルターではフィルターとは違い、急激な減少の後、低い値を保ち続けた。
【００６８】
（硝酸性窒素の分析）
標準液ＫＮＯ３（０．７７２ｇ／Ｌ）を０、０．１、０．３、０．５、１．０ｍＬと検水１ｍＬずつを各比色管に入れた後、純水を加えて１０ｍＬまでメスアップを行った。その後全ての比色管に緩衝剤として塩化ナトリウム溶液（３００ｇ／Ｌ）を２ｍＬ入れ攪拌した。次に濃硫酸を入れ攪拌した。このとき、硫酸と水が反応して熱が発生するので流水冷却を行った。最後にフルシルスルファニル溶液を０．５ｍＬ入れ攪拌した後、１００℃のお湯２０分温浴した。その後、流水冷却を行い、ＯＤ４１０を吸光光度計で測定して硝酸性窒素の含有量値を求めた。
【００６９】
硝酸性窒素の含有量値の経時変化を図１１及び表４に示す。
【表４】
2012045445.tif 000006
【００７０】
固定化菌体フィルターとフィルターとでは、いずれも硝酸性窒素含有量は当初の１／２程度に減少している。固定化菌体フィルターとフィルターとで大きな変化が見られないのは、曝気によってアンモニアがＮＯ３に酸化され、Ｓ株の脱窒能力が発揮出来なかったものと考えられる。なお、フィルターのみの場合だと、曝気の有無にかかわらず、１２０時間から１４０時間の辺りで急激な数値の増加が見られ、これは、フィルターの吸着できる許容範囲を超えたことが想定される。
【００７１】
以上の実験結果から、人工下水が滞留する箇所を設け、また、その箇所に浄化作用を有するフィルターや固定化菌体フィルターを設置することで、下水の浄化が可能であることを立証した。
【産業上の利用可能性】
【００７２】
本発明に係る汚水浄化装置は、上述したように、上昇管と下降管とが交互に連結した簡易な構成であり、設置場所の自由度が高い。そして、汚水浄化装置では、汚水を上流から下流へ流す際に汚水を滞留させる空間を有しており、この空間には汚水を浄化可能な浄化物質が配置されているので、この空間に汚水を滞留させつつ、浄化物質で汚水を浄化することができる。
【００７３】
汚水浄化装置は設置場所の自由度が高く、また、運搬も容易である。それゆえ災害時における簡易トイレの排泄物浄化装置、畜産における糞尿汚水の浄化装置として使用することができる。通常、汚水が排泄される適当な部分にこの汚水浄化装置を介在させることにより、かなり浄化した汚水を河川に排出し、また下水もしくは他の浄化槽等処理装置に導出させることができ、これら次段の処理負担を軽減することができる。
【００７４】
また建物の壁面に設置することにより、狭いスペースでの利用が可能となる。また食品製造現場等において、既設の合併槽、浄化槽に追加して本発明に係る汚水浄化装置を設けることにより、さらに浄化能力を向上させ、浄化性能をも上げることが可能となる。本発明に係る汚水浄化装置において、浄化の進んだ下段のパイプに透明樹脂パイプを用い、又はＬＥＤ等光源を設置してここに滞留している浄化の進んだ汚水を利用してクレソン、カイワレ大根等野菜を栽培することも可能である。
【符号の説明】
【００７５】
１    汚水浄化装置
１１    流入管
１２    排出管
２０ａ〜２０ｃ  上昇管
３０ａ、３０ｂ  下降管
４０ａ〜４０ｆ  屈曲管
５０    浄化物質
６０    エアレーションパイプ
７０    堰板
８０    カートリッジ
９０    汚水浄化装置
９１    本体
９２    蓋体
９３ａ〜９３ｃ  仕切版
９４ａ〜９４ｃ  仕切版
９５    流入管
９６    排出管
【図１】
2012045445.tif 000007
【図２】
2012045445.tif 000008
【図３】
2012045445.tif 000009
【図４】
2012045445.tif 000010
【図５】
2012045445.tif 000011
【図６】
2012045445.tif 000012
【図７】
2012045445.tif 000013
【図８】
2012045445.tif 000014
【図９】
2012045445.tif 000015
【図１０】
2012045445.tif 000016
【図１１】
2012045445.tif 000017